(57)【要約】【課題】電池容量を容易に増加させる。【解決手段】第１の電池パック１が筐体３の収納部３１に収納され、携帯型電子機器１０の電極端子と、第１の電池パック１の機器接続用電極端子１１とが接触して電気的に接続される。第２の電池パック２は、カバー４のガイド４２に沿うようにスライドさせて挿入し、突起２２の後端が溝４１の後端と一致するまで第２の電池パック２をスライドさせ、カバー４に連結される。第１の電池パック１が装着された筐体３と、第２の電池パック２が連結されたカバー４とが嵌合される。このとき、第１の電池パック１の上面と第２の電池パック２の上面とが接触することにより、第１の電池パック１のパック接続用電極端子１２と第２の電池パックのパック接続用電極端子２１とが接触し、第１の電池パック１と第２の電池パック２とが並列接続される。【選択図】図６
2008112654.tif 000002
【特許請求の範囲】
【請求項１】
筐体に二次電池を収納する収納部を備える携帯型電子機器において、
上記筐体と嵌合して上記収納部を覆うように形成されたカバーと、
他の二次電池と接続可能な電極端子を備え、上記収納部に収納された第１の二次電池と、
他の二次電池と接続可能な電極端子を備え、上記カバーと連結された第２の二次電池と
を有し、
上記筐体に上記カバーを嵌合させた際に、上記第１の二次電池の電極端子と上記第２の二次電池の電極端子とが接触し、上記第１の二次電池および上記第２の二次電池が並列接続される
ことを特徴とする携帯型電子機器。
【請求項２】
請求項１に記載の携帯型電子機器において、
上記カバーは、上記第２の二次電池と嵌合させるための溝を備え、
上記第２の二次電池は、上記カバーと嵌合させるための突起を備え、
上記カバーの溝に対して上記第２の二次電池の突起をスライドさせ、上記突起と上記溝とを嵌合させることにより、上記カバーと上記第２の二次電池とが連結される
ことを特徴とする携帯型電子機器。
【請求項３】
筐体に二次電池を収納する収納部を備える携帯型電子機器において、
上記筐体と嵌合して上記収納部を覆うように形成されたカバーと、
上記収納部に収納された第１の二次電池と、
上記カバーと連結された第２の二次電池と、
上記第１の二次電池および上記第２の二次電池を電気的に接続する接続部と
を有し、
上記筐体に上記カバーを嵌合させた際に、上記第１の二次電池に設けられた電極端子と、上記第２の二次電池に設けられた電極端子とが上記接続部を介して接触し、上記第１の二次電池および上記第２の二次電池が並列接続される
ことを特徴とする携帯型電子機器。
【請求項４】
外部の携帯型電子機器に使用される二次電池装置において、
上記携帯型電子機器の外装の一部に固定する固定部を有し、
上記固定部により上記携帯型電子機器の外装の一部と連結される
ことを特徴とする二次電池装置。
【請求項５】
請求項４に記載の二次電池装置において、
上記固定部は、
上記携帯型電子機器の外装の一部に設けられた溝と嵌合させるための突起であり、
上記溝に対して上記突起をスライドさせ、上記溝と上記突起とを嵌合させることにより、上記携帯型電子機器の外装の一部に連結される
ことを特徴とする二次電池装置。
【発明の詳細な説明】
【技術分野】
【０００１】
この発明は、容易に増設して容量の増加を図ることができる二次電池装置およびその二次電池装置を用いた携帯型電子機器に関する。
【背景技術】
【０００２】
近年、ノート型ＰＣ（Personal Computer）や携帯電話、ＰＤＡ(Personal Digital Assistants)等の携帯型電子機器が普及し、その電源として高電圧、高エネルギー密度、軽量といった利点を有するリチウムイオン二次電池が広く使用されている。
【０００３】
携帯電話やＰＤＡなどの携帯型電子機器では、用途が多様化し、例えば動画や音楽の再生が可能であるものがある。また、最近では、携帯型電子機器を用いてワンセグメント放送などのディジタルテレビジョン放送を視聴できるものも増えてきている。したがって、機能の多様化に伴い電力の消費量が増大するため、従来の電池パックでは、携帯型電子機器の使用可能時間が短くなってしまう。
【０００４】
図１５に示すように、従来の携帯型電子機器１００は、側面に正極端子１１１ａおよび負極端子１１１ｂ（以下、特定の電極端子を示さない場合は、単に電極端子１１１と称する）が設けられた二次電池装置（以下、電池パックと適宜称する）１０１が、筐体１０２に設けられた収納部１０３に収納される。そして、収納された電池パック１０１の上面側から、収納部１０３を覆うようにしてカバー１０４と筐体１０３とが嵌合される。
【０００５】
電池パック１０１が収納部１０３に収納されると、電池パック１０１の電極端子１１１は、携帯型電子機器１００の収納部１０３内部に設けられた図示しない電極端子と接触し、携帯型電子機器１００および電池パック１０１が電気的に接続される。
【０００６】
従来の携帯型電子機器に用いられている電池パックは、通常、電池パック内に１つの電池セルが収納された構成となっている。そのため、携帯型電子機器に搭載された様々な機能を十分に利用するには、従来の電池パックでは電池容量が小さい。したがって、このような場合には、電池パックの電池容量を増加させる必要がある。
【０００７】
そこで、電池パックの電池容量を増加させる方法として、複数の電池セルで構成される電池パックを用いる方法が考えられる。このように、電池パック内に複数の電池セルを収納し、放電の際には、それぞれの電池セルを並列接続することによって電池パックの電池容量を増加させる方法が下記の特許文献１に記載されている。
【０００８】
【特許文献１】特開２００４−２９６１３１号公報
【発明の開示】
【発明が解決しようとする課題】
【０００９】
しかしながら、電池パックの電池容量を増加させるために、従来の電池パックを、複数の電池セルからなる電池パックに交換する場合には、携帯型電子機器に予め装着されている電池パックを一旦取り外し、大容量の電池パックを装着しなければならず、電池パックの交換が煩わしいという問題点があった。
【００１０】
また、大容量の電池パックは、通常、電池パック内で複数のセルが並列接続されており、それぞれの携帯型電子機器に対応した大容量の電池パックを用意する必要がある。この場合、それぞれの携帯型電子機器に対応した電池パックを新規に設計・製造しなければならず、設計コストや製造コストがかってしまうという問題点があった。また、それぞれの携帯型電子機器毎に、対応する電池パックを製造する必要があるため、在庫管理や出荷管理が煩わしいことになる。
【００１１】
一方、電池パックを大容量化するための別の方法として、外部に電池パックを増設する方法が考えられる。例えば、携帯型電子機器の外部に設けられた接続端子に外部接続用の電池パックを接続することにより、電池容量を増加させることができる。しかしながら、市場に提供されている外部接続用の電池パックは、１次電池で構成されているものが多く、このような外部接続用の電池パックでは、性能上の理由により携帯型電子機器の性能を十分に発揮することができないという問題点があった。また、１次電池は、再度充電することができないため、放電が完了した場合には、使用不可能となってしまう。
【００１２】
したがって、この発明の目的は、予め装着された電池パックを交換することなく、電池容量を容易に増加させることができる二次電池装置（電池パック）および携帯型電子機器を提供することにある。
【課題を解決するための手段】
【００１３】
上述した課題を解決するために、第１の発明は、筐体に二次電池を収納する収納部を備える携帯型電子機器において、筐体と嵌合して収納部を覆うように形成されたカバーと、他の二次電池と接続可能な電極端子を備え、収納部に収納された第１の二次電池と、他の二次電池と接続可能な電極端子を備え、カバーと連結された第２の二次電池とを有し、筐体にカバーを嵌合させた際に、第１の二次電池の電極端子と第２の二次電池の電極端子とが接触し、第１の二次電池および第２の二次電池が並列接続されることを特徴とする携帯型電子機器である。
【００１４】
また、第２の発明は、筐体に二次電池を収納する収納部を備える携帯型電子機器において、筐体と嵌合して収納部を覆うように形成されたカバーと、収納部に収納された第１の二次電池と、カバーと連結された第２の二次電池と、第１の二次電池および第２の二次電池を電気的に接続する接続部とを有し、筐体にカバーを嵌合させた際に、第１の二次電池に設けられた電極端子と、第２の二次電池に設けられた電極端子とが接続部を介して接触し、第１の二次電池および第２の二次電池が並列接続されることを特徴とする携帯型電子機器である。
【００１５】
また、第３の発明は、外部の携帯型電子機器に使用される二次電池装置において、携帯型電子機器の外装の一部に固定する固定部を有し、固定部により携帯型電子機器の外装の一部と連結されることを特徴とする二次電池装置である。
【００１６】
上述したように、第１の発明では、筐体に二次電池を収納する収納部を備える携帯型電子機器において、筐体と嵌合して収納部を覆うように形成されたカバーと、他の二次電池と接続可能な電極端子を備え、収納部に収納された第１の二次電池と、他の二次電池と接続可能な電極端子を備え、カバーと連結された第２の二次電池とを有し、筐体にカバーを嵌合させた際に、第１の二次電池の電極端子と第２の二次電池の電極端子とが接触するようにしているため、第１の二次電池および第２の二次電池が並列接続される。
【００１７】
また、第２の発明では、筐体に二次電池を収納する収納部を備える携帯型電子機器において、筐体と嵌合して収納部を覆うように形成されたカバーと、収納部に収納された第１の二次電池と、カバーと連結された第２の二次電池と、第１の二次電池および第２の二次電池を電気的に接続する接続部とを有し、筐体にカバーを嵌合させた際に、第１の二次電池に設けられた電極端子と、第２の二次電池に設けられた電極端子とが接続部を介して接触するようにしているため、第１の二次電池および第２の二次電池が並列接続される。
【００１８】
また、第３の発明では、外部の携帯型電子機器に使用される二次電池装置において、携帯型電子機器の外装の一部に固定する固定部を有し、固定部により携帯型電子機器の外装の一部一部に電池パックを固定させるようにしているため、携帯型電子機器の外装の一部と電池パックとが一体的に形成される。
【発明の効果】
【００１９】
この発明は、筐体に収納された第１の二次電池に設けられた電極端子と、カバーに連結された第２の二次電池に設けられた電極端子とを接触させることにより、第１の二次電池および第２の二次電池を並列接続するようにしているため、予め携帯型電子機器の筐体に収納された第１の二次電池を取り外すことなく、カバーを取り付ける感覚で第２の二次電池を増設して電池容量を容易に増加させることができるという効果がある。
【００２０】
また、この発明は、従来の第１の二次電池と第２の二次電池と接続可能な接続部を設け、接続端子を介して第１の二次電池および第２の二次電池を並列接続するようにしているため、予め携帯型電子機器の筐体に収納された第１の二次電池を取り外すことなく、電池容量を容易に増加させることができるという効果がある。
【発明を実施するための最良の形態】
【００２１】
以下、この発明の第１の実施の形態について、図面を参照して説明する。携帯型電子機器１０は、標準構成に対して電池容量を増加させたい場合に、図１に示すように、筐体３に装着された第１の電池パック１に対して、カバー４と嵌合することによって連結された第２の電池パック２が載置される構成となっている。なお、携帯型電子機器１０は、第１の電池パックのみを使用することを可能とされ、その場合は、カバー４に対してより薄いカバーが使用される。すなわち、増設用の第２の電池パック２は、カバー４に取り付けられた状態でアクセサリとして販売されている。
【００２２】
第１の電池パック１は、図２に示すように、その側面に機器接続用正極端子１１ａおよび機器接続用負極端子１１ｂ（以下、特定の電極端子を示さない場合は、単に機器接続用電極端子１１と称する）が設けられている。また、第１の電池パック１の上面には、パック接続用正極端子１２ａおよびパック接続用負極端子１２ｂ（以下、特定の電極端子を示さない場合は、単にパック接続用電極端子１２と称する）が設けられている。パック接続用電極端子１２は、機器接続用電極端子１１が設けられた側面を基準面とした場合に、この基準面から長手方向に向かって所定距離の位置に設けられている。
【００２３】
第２の電池パック２は、図３Ａに示すように、上述した第１の電池パック１と略同一の外形寸法を有する。第２の電池パック２の上面には、パック接続用正極端子２１ａおよびパック接続用負極端子２１ｂ（以下、特定の電極端子を示さない場合は、単にパック接続用電極端子２１と称する）が設けられている。パック接続用電極端子２１は、第２の電池パック２の長手方向に対して垂直方向の側面を基準面とした場合に、この基準面から長手方向に所定距離の位置に設けられている。
【００２４】
なお、このパック接続用電極端子２１は、第２の電池パック２を第１の電池パック１上に載置した際に、パック接続用電極端子２１と第１の電池パック１のパック接続用端子１２とが確実に接触するように、例えばバネ状の電極端子となっている。そして、パック接続用電極端子２１と、第１の電池パック１のパック接続用電極端子１２とが接触すると、パック接続用電極端子２１が第２の電池パック２の内部に押し込まれるようになっている。
【００２５】
また、第２の電池パック２の底面には、図３Ｂに示すように、カバー４に連結させるための突起２２が設けられている。突起２２は、基準面から長手方向に向かって所定の長さで設けられている。突起２２の長さは、後述するカバー４に設けられた溝の長さと同一になっている。
【００２６】
突起２２の断面の形状は、例えば台形状となっており、第２の電池パック２の長手方向に加わる力以外の力によって、第２の電池パック２とカバー４との連結部分が分離するのを防ぐことができる。なお、突起２２の断面の形状は、台形状に限られず、例えば連結された第２の電池パック２とカバー４とが分離しないような形状であれば、どのような形状であってもよい。
【００２７】
筐体３は、図４に示すように、収納部３１および嵌合用穴３２を備える。収納部３１は、電池パック１の外形とほぼ同一の形状であり、その内部に第１の電池パック１を収納できるようになっている。この収納部３１の側面には、図示しないが、正極端子および負極端子（以下、特定の電極端子を示さない場合は、単に電極端子と称する）が設けられている。第１の電池パック１を装着した場合には、電極端子と第１の電池パック１の機器接続用電極端子１１とが接触し、携帯型電子機器１０および第１の電池パック１が電気的に接続される。
【００２８】
嵌合用穴３２は、筐体３の側面に１または複数設けられ、後述するカバー４に設けられた嵌合用突起が入り込むことにより、筐体３とカバー４とが嵌合され、筐体３に対してカバー４を確実に固定することができる。
【００２９】
カバー４は、図５Ａに示すように、溝４１、ガイド４２および嵌合用突起４３を備える。溝４１は、図５Ｂに示すように、カバー４の裏面に、カバー４の長手方向に対して垂直方向の側面を基準面として、基準面から長手方向に向かって所定の長さで設けられている。この溝４１の長さは、第２の電池パック２に設けられた突起２２の長さと同一になっている。この溝４１と、第２の電池パック２の突起２２とを嵌合させることにより、第２の電池パック２がカバー４に連結される。
【００３０】
溝４１の断面の形状は、例えば台形状となっており、カバー４の長手方向に加わる力以外の力によって、第２の電池パック２とカバー４との連結部分が分離するのを防ぐことができる。なお、溝４１の断面の形状は、台形状に限られず、例えば連結された第２の電池パック２とカバー４とが分離しないような形状であれば、どのような形状であってもよい。
【００３１】
ガイド４２は、カバー４に対する第２の電池パック２の位置決めを行うためのものである。カバー４と第２の電池パック２とを連結させる際には、第２の電池パック２をガイド４２に沿うようにしてスライドさせることにより、第２の電池パック２の位置が決定され、カバー４と第２の電池パック２とを容易に連結させることができる。
【００３２】
嵌合用突起４３は、カバー４の側面の内側に１または複数設けられている。嵌合用突起４３は、カバー４と筐体３とを嵌合させる際に、筐体３に設けられた嵌合用穴３２に入り込むことにより、カバー４が筐体３に対して確実に固定される。
【００３３】
次に、携帯型電子機器１０に対する第１の電池パック１および第２の電池パック２の取り付け方法について、図６を参照して説明する。この発明の第１の実施の形態では、第１の電池パック１が装着された携帯型電子機器１０の筐体３と、第２の電池パック２が連結されたカバー４とを嵌合させることにより、第１の電池パック１および第２の電池パック２を電気的に接続させ、電池容量を容易に増加させるようにしている。
【００３４】
先ず、第１の電池パック１が筐体３の収納部３１に収納され、携帯型電子機器１０に装着される。第１の電池パック１が携帯型電子機器１０に装着されると、携帯型電子機器１０の電極端子と、第１の電池パック１の機器接続用電極端子１１とが接触し、第１の電池パック１および携帯型電子機器１０が電気的に接続される。
【００３５】
また、第２の電池パック２は、突起２２をカバー４の溝４１に嵌合させることにより、カバー４に連結される。図７に示すように、点線ｘおよびｙで囲まれた第２の電池パック２の突起２２が、点線ｘ’およびｙ’で囲まれたカバー４の溝４１にそれぞれ嵌合されることにより、カバー４に連結される。
【００３６】
具体的には、図８Ａに示すように、第２の電池パック２の基準面の反対側の面を、カバー４の基準面側からガイド４２に沿うようにして、図の矢印の方向にスライドさせて挿入する。そして、第２の電池パック２が所定量挿入されると、図の斜線部分で示すように、第２の電池パック２の突起２２がカバー４の溝４１に嵌合される。このとき、第２の電池パック２は、カバー４のガイド４２に沿って挿入されるため、溝４１に対して突起２２を容易に嵌合させることができる。
【００３７】
さらに、図８Ｂに示すように、突起２２の後端が溝４１の後端と一致するまで第２の電池パック２をスライドさせる。こうすることにより、図の斜線部分で示すように、突起２２と溝４１とが嵌合される。このとき、突起２２の長さおよび溝４１の長さが同一であるため、第２の電池パック２の基準面とカバー４の基準面とが同一面上に位置することになり、カバー４に対するパック接続用電極端子２１の位置が決定される。
【００３８】
説明は図６に戻り、第１の電池パック１が装着された筐体３と、第２の電池パック２が連結されたカバー４とを嵌合させる。このとき、筐体３とカバー４とを、筐体３の嵌合用穴３２にカバー４の嵌合用突起４３が入り込むようにして嵌合させると、筐体３に装着された第１の電池パック１の上面と、カバー４に連結された第２の電池パック２の上面とが互いに対向するようにして接触し、第１の電池パック１上に第２の電池パック２が載置される。そして、第１の電池パック１および第２の電池パック２は、第１の電池パック１の基準面と第２の電池パック２の基準面とが同一面上となるように載置され、第１の電池パック１のパック接続用電極端子１２と第２の電池パックのパック接続用電極端子２１とが接触し、第１の電池パック１および第２の電池パック２が電気的に接続される。
【００３９】
なお、この発明の第１の実施の形態では、第１の電池パック１および第２の電池パック２それぞれの外形寸法が略同一の場合について説明したが、これはこの例に限られない。例えば、第２の電池パック２として、用途や必要な電池容量等に応じて外形寸法を異ならせた電池パックを用いるようにしてもよい。
【００４０】
例えば図９に示すように、上述の第２の電池パック２の代わりに外形寸法を異ならせた第２の電池パック２’を用いる場合について考える。この場合、第２の電池パック２’に設けられた突起２２’の長さを、カバー４の溝４１と同一の長さとすれば、カバー４に第２の電池パック２’を連結させた際には、第２の電池パック２’の基準面とカバー４の基準面とが同一面上となる。
【００４１】
したがって、第２の電池パック２’におけるパック接続用電極端子２１’の基準面からの距離は、上述の第２の電池パック２におけるパック接続用電極端子２１の基準面からの距離と同一になるので、筐体３にカバー４を嵌合させることにより第１の電池パック１および第２の電池パック２を電気的に接続することができる。
【００４２】
図１０は、第１の電池パック１および第２の電池パック２の一例の構成を示す。第１の電池パック１は、電池セル１６および充放電保護回路１７を備える。電池セル１６は、例えばリチウムイオン電池の二次電池であり、１または複数の二次電池を接続したものである。充放電保護回路１７は、電池セル１６の電圧が過充電検出電圧になった場合や、過放電検出電圧以下となった場合に、過充電や過放電を防止する。具体的には、例えば、充放電保護回路１７は、電池セル１６の電圧を監視し、電池セル１６の異常を検出した際に、充放電保護回路１７に設けられた充放電スイッチ等を制御して、電池セル１６に対する充放電電流を制御する。
【００４３】
第１の電池パック１は、放電の際には、機器接続用正極端子１１ａおよび機器接続用負極端子１１ｂがそれぞれ携帯型電子機器１０の正極端子および負極端子に接続され、電池セル１６から放電電流が流れることによって放電が行われる。また、充電の際には、機器接続用正極端子１１ａおよび機器接続用負極端子１１ｂが、携帯型電子機器１０を介して接続された充電器の正極端子および負極端子に接続され、電池セル１６に対して充電電流が流れることによって充電が行われる。
【００４４】
第２の電池パック２は、第１の電池パック１と同様に、電池セル２６および充放電保護回路２７を備える。電池セル２６は、上述した電池セル１６と同様に、例えばリチウムイオン電池の二次電池であり、１または複数の二次電池を接続したものである。充放電保護回路２７は、上述した充放電保護回路１７と同様に、電池セル２６の電圧が過充電検出電圧になった場合や、過放電検出電圧以下となった場合に、過充電や過放電を防止する。
【００４５】
筐体３とカバー４とが嵌合されることにより第１の電池パック１上に第２の電池パック２が載置されると、点線で示すように、第１の電池パック１のパック接続用正極端子１２ａおよびパック接続用負極端子１２ｂと、第２の電池パック２のパック接続用正極端子２１ａおよびパック接続用負極端子２１ｂとがそれぞれ接続され、第１の電池パック１および第２の電池パック２が並列接続される。
【００４６】
このように、この発明の第１の実施の形態では、第１の電池パック１上に第２の電池パック２を載置することにより、第１の電池パック１および第２の電池パック２が並列接続される。したがって、第１の電池パック１が予め筐体３に装着された状態で、携帯型電子機器１０のカバーを第２の電池パック２が連結されたカバー４に交換するだけで、第１の電池パック１を取り外すことなく容易に電池容量を増加させることができる。
【００４７】
また、第１の電池パック上に第２の電池パックを載置する際に、それぞれの電池パックのパック接続用電極端子が確実に接触するように載置すれば、これらの電池パックは、特定の携帯型電子機器だけでなく、様々な携帯型電子機器に適用可能となる。したがって、製造者は、携帯型電子機器毎に対応する電池パックを製造する必要がなくなるため、製造コストを抑えることができるとともに、在庫管理や出荷管理が容易となり、製造効率を向上させることができる。
【００４８】
さらに、携帯型電子機器の使用者は、増設する第２の電池パックの電池容量を選択することにより、携帯型電子機器の機能や用途に応じて電池容量を自由に決定することができる。
【００４９】
次に、この発明の第２の実施の形態について説明する。背景技術の項目で説明したとおり、従来の電池パックには、機器接続用電極端子のみが設けられており、パック接続用電極端子が設けられていない。そのため、予め装着された電池パックに対して、上述した第１の実施の形態に適用可能な第２の電池パックを並列接続することができない。
【００５０】
そこで、この発明の第２の実施の形態では、既存の第１の電池パックが装着された携帯型電子機器に対して、既存の第１の電池パックと第２の電池パックとを並列接続して電池容量を増加させることができるように、第１の電池パックと携帯型電子機器との間に、携帯型電子機器、第１の電池パックおよび第２の電池パックを電気的に接続するための接続端子を設けるようにした。
【００５１】
図１１に示すように、携帯型電子機器７０は、筐体３に装着された第１の電池パック５０および接続端子６０に対して、カバー４に連結された第２の電池パック２が載置される構成となっている。
【００５２】
第１の電池パック５０は、図１２に示すように、従来の電池パックと同様に、その側面に機器接続用正極端子５１ａおよび機器接続用負極端子５１ｂ（以下、特定の電極端子を示さない場合は、単に機器接続用電極端子５１と称する）が設けられている。第１の電池パック５０を携帯型電子機器７０の筐体３に設けられた収納部３１に収納した際に、後述する接続端子６０を介して携帯型電子機器７０の電極端子および第１の電池パック５０の機器接続用電極端子５１が電気的に接続される。
【００５３】
接続端子６０は、図１３Ａに示すように、台座６１および端子部６２を備える。台座６１は、後述する端子部６２を固定するためのものであり、例えば、第１の電池パック５０と略同一の幅とされた矩形状の絶縁材料によって形成されている。
【００５４】
端子部６２は、携帯型電子機器７０の電極端子、第１の電池パック５０の機器接続用電極端子５１および第２の電池パック２のパック接続用電極端子２１が接触して、それぞれの電極端子を電気的に接続するための電極端子である。端子部６２は、例えば図１３Ｂに示すように、銅やニッケル等の導電性材料からなる平面状の板を「コ」の字状に折り曲げて形成されている。端子部６２は、正極端子用と負極端子用とが設けられ、第１の電池パック５０の正極端子５１ａおよび負極端子５１ｂの間の距離と等しい距離だけ離れた位置に、台座６１の底面側を除く周囲を囲むようにして固定される。
【００５５】
また、端子部６２の両側面には、例えば、外側に向かって凸部を設けると好ましい。これは、第１の電池パック５０の機器接続用電極端子５１や携帯型電子機器７０の電極端子と接触させる際に、より確実に接触させるようにするためである。
【００５６】
携帯型電子機器７０に第１の電池パック５０および第２の電池パック２を装着した場合、端子部６２の一方の側面には携帯型電子機器７０の電極端子が接触し、端子部６２の他方の側面には第１の電池パック５０の機器接続用電極端子５１が接触する。さらに、端子部６２の上面には第２の電池パック２のパック接続用電極端子２１が接触する。このようにして、端子部６２のそれぞれの面に接続された携帯型電子機器７０と第１の電池パック５０と第２の電池パック２とが電気的に接続されるようになっている。
【００５７】
次に、この発明の第２の実施の形態による、携帯型電子機器７０に対する第１の電池パック５０および第２の電池パック２の取り付け方法について、図１４を参照して説明する。接続端子６０は、図１４Ａに示すように、接続端子６０の端子部６２の一方の側面が携帯型電子機器７０の電極端子に接触するようにして、収納部３１に収納される。そして、第１の電池パック５０は、機器接続用電極端子５１が接続端子６０の端子部６２の他方の側面と接触するようにして、収納部３１に収納される。
【００５８】
こうすることにより、第１の電池パック５０の機器接続用電極端子５１が接続端子６０の端子部６２に接触し、端子部６２が携帯型電子機器７０の電極端子に接触するため、第１の電池パック５０と携帯型電子機器７０とが接続端子６０を介して電気的に接続される。
【００５９】
次に、図１４Ｂに示すように、第２の電池パック２が連結されたカバー４を筐体３に嵌合させて、第２の電池パック２を第１の電池パック５０上に載置すると、接続端子６０の端子部６２の上面部が第２の電池パック２のパック接続用電極端子２１に接触する。
【００６０】
したがって、第２の電池パック２のパック接続用電極端子２１が接続端子６０を介して第１の電池パック５０の機器接続用電極端子５１と接触するため、第１の電池パック５０および第２の電池パック２が並列接続される。
【００６１】
このように、この発明の第２の実施の形態によれば、第１の電池パック５０が接続端子６０を介して接続された携帯型電子機器７０に対して、第２の電池パック２が連結されたカバー４を嵌合させることにより、接続端子６０を介して第１の電池パック５０および第２の電池パック２を並列接続することができるので、携帯型電子機器７０に対して容易に電池容量を増加させることができる。
【００６２】
以上、この発明の第１の実施の形態および第２の実施の形態について説明したが、この発明は、上述したこの発明の第１の実施の形態および第２の実施の形態に限定されるものではなく、この発明の要旨を逸脱しない範囲内で様々な変形や応用が可能である。
【図面の簡単な説明】
【００６３】
【図１】この発明の第１の実施の形態による携帯型電子機器の形状の一例を示す斜視図である。
【図２】第１の電池パックの一例の形状を示す斜視図である。
【図３】第２の電池パックの一例の形状を示す斜視図である。
【図４】筐体の一例の形状を示す斜視図である。
【図５】カバーの一例の形状を示す斜視図である。
【図６】この発明の第１の実施の形態による電池パックの取り付け方法を説明するための略線図である。
【図７】第２の電池パックとカバーとを連結する方法を説明するための略線図である。
【図８】第２の電池パックとカバーとを連結する方法を説明するための略線図である。
【図９】第２の電池パックの外形寸法を変更した場合について説明するための略線図である。
【図１０】この発明の第１の実施の形態による電池パックの一例の構成を示すブロック図である。
【図１１】この発明の第２の実施の形態による携帯型電子機器の一例の構成を示す斜視図である。
【図１２】第１の電池パックの一例の形状を示す斜視図である。
【図１３】接続端子の一例の形状を示す斜視図である。
【図１４】接続端子を用いた場合の第１の電池パックの取り付け方法を説明するための略線図である。
【図１５】従来の携帯型電子機器の一例の構成を示す略線図である。
【符号の説明】
【００６４】
１  第１の電池パック
２、２’  第２の電池パック
３  筐体
４  カバー
１０  携帯型電子機器
１１  機器接続用電極端子
１２  パック接続用電極端子
１６  電池セル
１７  充放電保護回路
２１、２１’  パック接続用電極端子
２２、２２’  突起
２６  電池セル
２７  充放電保護回路
３１  収納部
３２  嵌合用穴
４１  溝
４２  ガイド
４３  嵌合用突起
５０  第１の電池パック
５１  機器接続用電極端子
６０  接続端子
６１  台座
６２  端子部
７０  携帯型電子機器
【図１】
2008112654.tif 000003
【図２】
2008112654.tif 000004
【図３】
2008112654.tif 000005
【図４】
2008112654.tif 000006
【図５】
2008112654.tif 000007
【図６】
2008112654.tif 000008
【図７】
2008112654.tif 000009
【図８】
2008112654.tif 000010
【図９】
2008112654.tif 000011
【図１０】
2008112654.tif 000012
【図１１】
2008112654.tif 000013
【図１２】
2008112654.tif 000014
【図１３】
2008112654.tif 000015
【図１４】
2008112654.tif 000016
【図１５】
2008112654.tif 000017